Podtech/llm-jp-corpus-v4-ja_patent huggingface dataset:
(57)【要約】【課題】本発明は、複数のリングマグネットを用いた場合のコギングトルクを低減することを目的とする。【解決手段】本発明によるロータ構造は、ロータ軸(3)に直列配置される各リングマグネット(1,2)の外周に形成されるＮ極同志又はＳ極同志は、ロータ軸(3)の軸方向からみて互いに異なる回転角度位置に設けられている構成である。【選択図】図１
2008259320.tif 000002
【特許請求の範囲】
【請求項１】
ロータ軸(3)に複数のリングマグネット(1,2)を直列状に設けるようにしたロータ構造において、
前記各リングマグネット(1,2)の外周に形成されるＮ極(20)同志又はＳ極(21)同志は、前記ロータ軸(3)の軸方向からみて互いに異なる回転角度位置に設けられていることを特徴とするロータ構造。
【発明の詳細な説明】
【技術分野】
【０００１】
本発明は、ロータ構造に関し、特に、ロータ軸に複数のリングマグネットを直列配置する際に、各リングマグネットの極性を軸方向からみて異なるようにブロックスキューを形成させ、回転時の過度なコギングトルクを低減させるようにするための新規な改良に関する。
【背景技術】
【０００２】
従来、用いられていたこの種の小型モータにおけるロータ構造としては、社内製作のみで特許出願を行っていないため、その構成を開示するための特許文献等を開示していないが、例えば、図４及び図５で示されるように構成されていた。
【０００３】
すなわち、図４及び図５で示されるものは、第１、第２リングマグネット１、２であり、この各リングマグネット１、２のＮ極は、図示のように軸方向からみて互いに同一の回転角度位置に設けられ、２極又は４極にて構成されていた。
【発明の開示】
【発明が解決しようとする課題】
【０００４】
従来のロータ構造は、以上のように構成されていたため、次のような課題が存在していた。
すなわち、各リングマグネットに形成される極性の位置が軸方向からみて同一の回転角度位置であるため、各リングマグネットの円周方向における各極間の角度が同一でかつ大きく、このような構造のロータを用いてモータを構成した場合、コギングトルクが大きく、ロータの回転が円滑ではなかった。
【課題を解決するための手段】
【０００５】
本発明によるロータ構造は、ロータ軸に複数のリングマグネットを直列状に設けるようにしたロータ構造において、前記各リングマグネットの外周に形成されるＮ極同志又はＳ極同志は、前記ロータ軸の軸方向からみて互いに異なる回転角度位置に設けられている構成である。
【発明の効果】
【０００６】
本発明によるロータ構造は、以上のように構成されているため、次のような効果を得ることができる。
すなわち、ロータ軸に直列に設けた各リングマグネットのＮ極又はＳ極が軸方向からみて異なる回転角度位置に設けられているため、各リングマグネットを各ブロックとすると、ブロックスキューさせることができ、周知のロータのスキューと同様に特に小型モータにおけるコギングトルクを低減させることができる。
【発明を実施するための最良の形態】
【０００７】
本発明は、ロータ軸に複数のリングマグネットを直列配置する際に、各リングマグネットの極性を軸方向からみて互いに異なる回転角度位置になるようにブロックスキューを形成させ、回転時の過度なコギングトルクを低減させるようにしたロータ構造を提供することを目的とする。
【実施例】
【０００８】
以下、図面と共に本発明によるロータ構造の好適な実施の形態について説明する。
尚、従来例と同一又は同等部分には、同一符号を付して説明する。
図１において符号１で示されるものは、ロータ軸３の外周に溝４が形成された取付位置５に接着剤によって固定された第１リングマグネットであり、この取付位置５には、この第１リングマグネット１と直列状に接続されるように第２リングマグネット２が固定して設けられている。
【０００９】
前記各リングマグネット１、２は全く同一形状で構成されると共に、各リングマグネット１、２及びロータ軸３によってロータ１０を構成している。
【００１０】
前記各リングマグネット１、２に形成されたＮ極２０又はＳ極２１は、図２及び図３で示されるように、各リングマグネット１、２の軸方向からみて互いに異なる回転角度位置になるように形成されている。
【００１１】
従って、前記第１、第２リングマグネット１、２を一対のブロックとすると、第１リングマグネット１に対して第２リングマグネット２を相対回転させ、前述の各極性を互いにずらせることにより、ブロックスキューが形成されていることになり、このロータ１０を用いてモータを構成した場合、前述のブロックスキューによって従来よりもコギングトルクを大幅に低減することができる。
尚、前述の場合、各リングマグネット１、２は、一対の場合について述べたが、一対以上の場合についても可能である。
【図面の簡単な説明】
【００１２】
【図１】本発明によるロータ構造を示す断面図である。
【図２】図１の第１リングマグネットを示す側面図である。
【図３】図１の第２リングマグネットを示す側面図である。
【図４】従来のリングマグネットを示す構成図である。
【図５】従来のリングマグネットを示す構成図である。
【符号の説明】
【００１３】
１    第１リングマグネット
２    第２リングマグネット
３    ロータ軸
４    溝
１０    ロータ
２０    Ｎ極（Ｓ極）
【図１】
2008259320.tif 000003
【図２】
2008259320.tif 000004
【図３】
2008259320.tif 000005
【図４】
2008259320.tif 000006
【図５】
2008259320.tif 000007
(57)【要約】【課題】  真昼の晴天下の太陽光で熱くなった自動車本体の外装を自然の空気で冷却することで、ガソリンの消費を減らしＣＯ２の削減にもつなげ、環境問題にも貢献する。さらに、塗装の傷や汚れを目立たなくすることで、傷の補修費などの自動車の維持費を削減する。【解決手段】  自動車本体の外装を形成する外壁（１）に凹凸模様の塗装部（２）を成形することを特徴とする。【選択図】図２
2008253974.tif 000002
【特許請求の範囲】
【請求項１】
図２に示すように、自動車本体の外装を形成する外壁（１）の一部もしくは全部に、無数の連続する凹凸模様の塗装部（２）を成形した自動車の塗装。
【発明の詳細な説明】
【技術分野】
【０００１】  この発明は、自動車の外装を形成する外壁に、連続する無数の凹凸模様を成形した、自動車の塗装に関するものである。
【背景技術】
【０００２】  従来の自動車の外壁やバンパーに塗られていた塗装は、平曲面的で、鏡面のように光を反射する、ツルツルとした塗装がほとんどであった。【０００３】  唯一、図１（４）のジャッキアップポイント部や（５）のバンパーの下部に、走行中に小石などが跳ねて傷がつくのを防ぐ目的で、凹凸模様の軟質なウレタン加工がされたものが公知となっていたが、自動車外装の側面や上面は、すべての自動車が鏡面のような塗装がされていた。
【発明の開示】
【発明が解決しようとする課題】
【０００４】  真夏の晴天下で放置された自動車の屋根やボンネットカバーの一部分の温度は、太陽光により、玉子で目玉焼きがつくれるほどの、１００度以上の熱さになることがあり、うっかり手などの素肌が触れただけでも、軽い火傷を負ってしまったなどという話もしばしばでした。【０００５】  そのうえ、外装が非常に熱くなった自動車を運転するとエンジンがオーバーヒートしやすいうえに、室内を冷却する為にエアコンを強くする必要から、ガソリンの消費を多くさせ、経済的負担を増やしました。【０００６】  また、従来の自動車の外壁塗装は、鏡面のように光を反射しやすい塗装であったため、わずかなスリ傷やドア傷がついただけでも、光の反射により傷が大変目立ってしまい、見苦しく高級感を失ってしまいました。
さらに、従来の塗装は、汚れやほこりも目立ちやすく、洗車ワックスがけが大変な労力となり、傷の板金、再塗装にかかる費用負担もけっして小さくありませんでした。
本発明は、以上のような欠点をなくすためなされたものである。
【課題を解決するための手段】
【０００７】  自動車の外装を形成する外壁（１）の塗装（２）を、いぼ状、ちじれ状、網目状、布目状、コンクリート状などのように、連続する無数の凹凸模様に成形する。
本発明は、以上の構成よりなる、自動車外装の塗装である。
【発明の効果】
【０００８】  図２は本発明の塗装状態を示す外壁の部分断面図であり、図３は従来の自動車の塗装状態を示す外壁の部分断面図であるが、本発明のように塗装部（２）の表面が凹凸状態になっている場合と、従来のように鏡面的にツルツルになっている場合とを比較すると、凹凸の形や大きさの度合いにもよるが、冷たい空気（３）と接する面積が、本発明の塗装の方が１０パーセントから３０パーセントぐらい広くなるので、自動車を走行させたとき、真夏の太陽で熱くなった外装を空気による冷却する効果も大きくなる。
よってオーバーヒートの防止や、エアコンの使用によるガソリンの使用量もわずかではあるが減少させることができる。
しかし、先に背景技術の項で述べた、ジャッキアップポイント部（４）やバンパー下部（５）だけをウレタンで凹凸加工をした従来から公知であった技術は、もともとこれら自動車本体の下の部分は、ほとんど太陽光線が当たらず、外気による室内やエンジンルームへの冷却効果はほとんど認められず、目的も違う技術であり、冷却効果をもたらす本発明の技術とは区別されるものである
地球温暖化防止の為、ＣＯ２の削減などが叫ばれている中で、たとえわずかな省エネであっても、本発明のはたす役割は重要である。【０００９】  また、図４の参考図に示すように、塗装部（２）が凹凸状態になつている本発明は、うっかり手のひらなどの素肌が、真夏の太陽光線で熱くなっている状態で触れてしまったとしても、素肌に触れるのは凸部の山の頂上部分だけであるため、火傷を負うまでには至らない【００１０】  さらに、本発明の塗装方法だと、車庫入れなどの際に何かに接触させ、うっかりスリ傷や凹みなどをつけてしまったとしても、傷がつくのは凸部の山の頂上だけであり、従来の鏡面塗装のように傷に光が反射しないので、傷はほとんど目立たず、再塗装などの補修の必要がなくなり、また、汚れが目立ちにくいので、洗車ワックスがけの回数を減らせ、車のオーナーは維持費の節減となる。
【発明を実施するための最良の形態】
【００１１】本発明の実施形態について図面を参照して説明する。図２に示すように、自動車本体の外装を形成する外壁（１）に、無数の連続する凹凸模様の塗装部（２）を成形する。本発明は以上のような構造である。尚、自動車の外壁に塗られる塗装は表面だけではなく裏面にも塗装がされているのが一般的であるが、図２、図３の図面上では省略してある。【００１２】  尚、本発明の実施形態には次のようなものがある。
（イ）自動車本体の外壁にハンマートーン塗装（添加剤の効果により、塗装面をハンマーでたたいたような凹凸模様が現れる塗装方法）により塗装部を成形する。
（ロ）自動車本体の外壁にクラッキング塗装（塗料中に多量の顔料が配合されており、塗装後にひび割れ模様の凹凸を生じさせる塗装方法）により塗装部を成形する。
（ハ）自動車本体の外壁にちりめん塗装（添加剤の効果により、塗膜にちりめん状のしわ模様の凹凸を生じさせる塗装方法）により塗装部を成形する。
（ニ）自動車本体の外壁にレザートーン、サテントーン塗装（ビニールレザーのようなソフトな凹凸模様を表現する塗装方法で、凸模様の大きなものをレザートーン、細かいものをサテントーン塗装という）により塗装部を成形する。
（ホ）自動車本体の外壁に、従来と同じ鏡面的な塗装をほどこし、あとで圧力を加えたり、削る、叩くなど物理的に加工することで、連続する凹凸模様の塗装部を成形する。
【図面の簡単な説明】
【００１３】
【図１】  自動車本体の斜視図である。
【図２】  本発明の部分断面図である。
【図３】  従来の塗装を示す部分断面図である。
【図４】  本発明の塗装部に人の手が触れた状態を示す参考図である。
【符号の説明】
【００１４】１  外壁
２  塗装部
３  空気
４  ジャッキアップポイント部
５  バンパー下部
６  手
【図１】
2008253974.tif 000003
【図２】
2008253974.tif 000004
【図３】
2008253974.tif 000005
【図４】
2008253974.tif 000006
(57)【要約】【課題】メッキを施した筐体に装着したものについての静電気による障害を排除する。【解決手段】メッキを施した筐体２５にタッチパネル式の操作部２０を設けたもので、上記筐体２５に設けた開口面２６に臨んでいる上記操作部２０を絶縁性シート４で覆うとともに該絶縁性シート４を操作部２０と筐体２５との間に介在させる。絶縁性シートでメッキ部分と操作部の電気回路との間の絶縁距離を大きくする。【選択図】図１
2008253944.tif 000002
【特許請求の範囲】
【請求項１】
メッキを施した筐体にタッチパネル式の操作部を設けた電解水生成装置であって、上記筐体に設けた開口面に臨んでいる上記操作部を絶縁性シートで覆うとともに該絶縁性シートを操作部と筐体との間に介在させていることを特徴とする電解水生成装置。
【請求項２】
上記絶縁性シートは操作部の周縁で筐体内部に向けてに折り込まれていることを特徴とする請求項１記載の電解水生成装置。
【発明の詳細な説明】
【技術分野】
【０００１】
本発明は、電解水生成装置、殊にタッチパネル式の操作部の構造に関するものである。
【背景技術】
【０００２】
電解水生成装置においては、その止水と通水との切換のほかに、吐出する水をアルカリ性のものとするか酸性のものにするか、あるいは単に濾過しただけの浄水とするかの切換のための操作部を設けることになるが、防水性の観点からタッチパネル式の操作部とする場合、メッキを施した筐体にタッチパネル式の操作部を取り付けると、メッキ部分と操作部の電気回路部分との間の電気的距離が非常に近くなるために、静電気が上記電気回路に侵入して不具合を起こすことが生じる。
【０００３】
特許文献１にはタッチパネルにおけるノイズキャンセルについての開示があるが、上記静電気による障害を除くことはできない。
【特許文献１】特開平０５−００６１５３号公報
【発明の開示】
【発明が解決しようとする課題】
【０００４】
本発明は上記の従来の問題点に鑑みて発明したものであって、メッキを施した筐体に装着したものについての静電気による障害を排除することができる電解水生成装置を提供することを課題とするものである。
【課題を解決するための手段】
【０００５】
上記課題を解決するために本発明に係る電解水生成装置は、メッキを施した筐体にタッチパネル式の操作部を設けたものにおいて、上記筐体に設けた開口面に臨んでいる上記操作部を絶縁性シートで覆うとともに該絶縁性シートを操作部と筐体との間に介在させていることに特徴を有している。絶縁性シートでメッキ部分と操作部の電気回路との間の絶縁距離を大きくしたものである。
【０００６】
上記絶縁性シートは操作部の周縁で筐体内部に向けてに折り込まれていることが絶縁距離を更に大きくすることができる点で好ましい。
【発明の効果】
【０００７】
本発明は、絶縁性シートを介在させているためにメッキ部分からタッチパネル式の操作部の電気回路までの電気的絶縁距離を実距離に比して長くとることができるものであり、静電気による障害を招くことなく、操作部回りをフラットで操作性の良いものにすることができる。
【発明を実施するための最良の形態】
【０００８】
以下、本発明を添付図面に示す実施形態に基いて説明すると、図２は本発明に係る電解水生成装置の一例を示しており、濾過浄水部と電解槽と切換弁を備えて流し台９内に配設される本体１と、流し台９の上面に設置される水栓部２とからなり、本体１と水栓部２とは２本の接続管２１，２２及び信号線２３で接続されている。信号線２３は、水栓部２に設けた操作部２０と本体１内に設けた制御回路との接続用である。また、流し台９が備える蛇口８に至る水道配管の途中から分岐させた給水管３が本体１に接続されている。
【０００９】
上記水栓部２は、上記接続管２１，２３に接続された放水口２４ａ，２４ｂを備えるとともに、その前面に操作部２０を備えている。図３に操作部２０の詳細を示す。止水／通水切換スイッチ２０ａ、アルカリ水吐出とするためのスイッチ２０ｂ、浄水吐出とするためのスイッチ２０ｃ、弱酸性水吐出とするためのスイッチ２０ｄのほか、吐出しているアルカリ水のアルカリ度を表示するための表示部２０ｅ、前記濾過浄水部の濾過用カートリッジの交換目安を表示するための表示部２０ｆ等を備えている。図中の２７は通水路を備えるフレーム、２８は表示基板、２９は基板ホルダーである。
【００１０】
上記操作部２０の各スイッチは、タッチパネル（接触式でも静電式のものでもよい）で構成されて、水栓部２における筐体２５内に固定されて筐体２５に設けた開口面２６にその表面を位置させるものであり、筐体２５外面との間に段差のないフラットな面を形成して、汚れなどが溜まりやすい部分が生じないようにしている。
【００１１】
ここにおいて、上記筐体２５がその表面にメッキが施されたものである場合、フラットな表面となっている操作部２０は、開口面２６を囲む部分に施されたメッキに非常に近接し、電気的距離も非常に近くなることから、ここでは操作部２０の全面を静電防止のための絶縁性シート４で覆った上で筐体２５に操作部２０を取り付けている。
【００１２】
上記絶縁性シート４としては、図１から明らかなように、操作部２０の周縁で筐体２５の内部に向けて折り返されることで操作部２０の側面も覆うことになるものが、上記メッキとの間の電気的絶縁距離を簡便に長くすることができることになるために好ましい。なお、操作部２０における図３に示す表示は、上記絶縁性シート４の上に筐体２５の開口面２６を囲む部分にまで渡って貼り付けられる加飾シート５に施したものである。
【００１３】
上記絶縁性シート４としては、タッチパネル式の操作部２０の操作性を損なうことがないものが好ましいのはもちろんであり、またＬＥＤからなる前記表示部２０ｅ，２０ｆ及び他の表示部からの光を透過させることもできるもの、たとえば薄いＰＥＴシートを好適に用いることができる。
【図面の簡単な説明】
【００１４】
【図１】本発明の実施の形態の一例の分解斜視図である。
【図２】同上の全体構成を示す斜視図である。
【図３】水栓部の正面図である。
【図４】同上の水栓部の水平断面図である。
【符号の説明】
【００１５】
１  本体
２  水栓部
４  絶縁性シート
２０  操作部
２５  筐体
【図１】
2008253944.tif 000003
【図２】
2008253944.tif 000004
【図３】
2008253944.tif 000005
【図４】
2008253944.tif 000006
(57)【要約】【課題】電気掃除機は、小型、軽量化のために前輪と後輪との間隔（ホイールベース）が狭いために非常に安定が悪いという問題があり、また、意匠的には機能性重視のため、不使用時に室内の見えるところに置いておくことは考慮されておらず、しまっておくことが前提となっているために、外観が室内の置物としては良くないという問題がある。【解決手段】４輪すべてそれぞれ独立して回転できるように軸に取り付け、この４輪が４隅に配置される任意のおもちゃの意匠を有する本体内に通常の電気掃除機の構造であるモータ、コードリール、紙パックもしくはサイクロン機構、電子基板等を有し、本体に吸引ホースの接続口、コードリールに巻いたコードの引出し口、排気口を設けたおもちゃを兼ねた電気掃除機とした。【選択図】        図１
2008253523.tif 000002
【特許請求の範囲】
【請求項１】
４輪すべてそれぞれ独立して回転できるように軸に取り付け、この４輪が４隅に配置される任意のおもちゃの意匠を有する本体内に通常の電気掃除機の構造であるモータ、コードリール、紙パックもしくはサイクロン機構、電子基板等を有し、本体に吸引ホースの接続口、コードリールに巻いたコードの引出し口、排気口を設けたおもちゃを兼ねる電気掃除機。
【請求項２】
請求項１において、前輪２輪をキャスタとしたおもちゃを兼ねる電気掃除機。
【発明の詳細な説明】
【技術分野】
【０００１】
本発明は、おもちゃを兼ねた家庭用の電気掃除機に関する。
【背景技術】
【０００２】
従来の電気掃除機は、一般に、紙パック式やサイクロン式にかかわらず使用中の移動性の向上をはかるために前輪がキャスタ1輪であり、後輪が左右２輪車となっている。（例えば、特許文献１参照）。
【特許文献１】特開２００５−１９２８３２号公報
【発明の開示】
【発明が解決しようとする課題】
【０００３】
しかしながら、上述した従来の技術においては、小型、軽量化のために前輪と後輪との間隔（ホイールベース）が狭く非常に安定が悪いという問題がある。
また、機能性を重視するために、不使用時には室内の見えるところに置いておくことは考慮されておらず、しまっておくことが前提となっている意匠であり、外観が室内の置物としては良くないという問題がある。さらには、車がついて移動可能にできているにもかかわらず子供が押して遊んだり載って遊んだりするには掃除機としての機能性を重視するために形状および意匠が悪く、上記の如く、安定性の悪さも伴ってその目的には使用できないものである。
【０００４】
本発明は、このような問題を解決することを課題とする。
【課題を解決するための手段】
【０００５】
そこで本発明は、４輪すべてそれぞれ独立して回転できるように軸に取り付け、この４輪が４隅に配置される任意のおもちゃの意匠を有する本体内に通常の電気掃除機の構造であるモータ、コードリール、紙パックもしくはサイクロン機構、電子基板等を有し、本体に吸引ホースの接続口、コードリールに巻いたコードの引出し口、排気口を設けたおもちゃを兼ねた電気掃除機とした。
【発明の効果】
【０００６】
このようにした本発明は、通常の電気掃除機としての機能を有し、従来どおりの電気掃除機として使用すると共に、吸引ホースを外し、コードをコードリール内に納めることにより、おもちゃとして使用可能となり、子供がまたがって載ったり押したりして容易にたおれることがなく自由に動かすことができるおもちゃとなる。
また、不使用時には、おもちゃとして使用できる意匠であるために室内に置いておくことが可能となるという効果が得られる。
【発明を実施するための最良の形態】
【０００７】
以下、図面を参照して本発明による実施例を説明する。
【実施例】
【０００８】
図１は実施例を示す外観説明図である。
本実施例では自動車の外観とし、前後車輪を共に２輪とした４輪の車輪１、２、３、４であり、これら４輪の車輪１、２、３、４はすべてそれぞれ独立して回転できるように軸に取り付けられている。自動車のデザインは任意である。
なお、前車輪の２輪１、２は、それぞれ垂直軸が回転するキャスタとしてもよい。
【０００９】
また、全車輪の数は４輪に限るものではなく、４輪以上でもよく、４輪の中程に出没可能に車輪（キャスタ）を付けておくと、その車輪によって回転等の自由な動きが得られることができるものである。その出没構造は、スプリングによって車輪の回転軸を支持して出没が自由なフレキシブル構造やレバーの先端に車輪の回転軸を支持して車輪の入没状態と突出状態を選択してそれぞれの状態を保持できるようにした選択構造等任意である。
【００１０】
これら４輪の車輪１、２、３、４が４隅に配置されるおもちゃの意匠を有する合成樹脂製の本体５の前部の下部もしくは上部（本実施例では下部）に吸引ホースの接続口６を設け、後部には自動巻取りのコードリール７に巻かれた先端にプラグを取り付けたコード８の引出し口９と排気口１０が設けてある。したがって、それらの配置に従って内部構造も底板１１上に構成されており、排気口１０に接続するように本実施例では紙パック１２（サイクロン式ではサイクロン機構）の収納部１３があり、その後方にモータ１４がある。並んで前記コードリール７が配置され、モータ１４の後方に前記排気口１０が位置している。１５は電子基板、１６はコード８の巻取りボタンである。
【００１１】
本体５である車体の屋根部１７は、子供がまたいで載ることができる形状となっている。
各ウインドウ１８は破損のおそれのあるガラスではなく、本体５と一体の成形でよく、必ずしも透明体である必要はない。
以上の構成によると、家庭用の通常の電気掃除機の機能を有し、従来どおりの掃除機として使用すると共に、吸引ホースを外し、コードをコードリール内に納めることにより、おもちゃとして使用可能となり、子供がまたがって載ったり、押したりして容易に倒れることがなく自由に動かすことができるものである。
【００１２】
また、不使用時にはしまっておいてもよいが、おもちゃとして使用できる意匠であるために室内に置いておくことが可能となる。
なお、上記説明は４つの車輪を有する本体を、おもちゃの自動車を例として説明したが、必ずしも自動車である必要はなく、例えば、動物、昆虫、果物、人形その他任意の創作形状等どのような形状のものでもよく、それら本体に４輪以上の車輪を付けたものであればよい。
【図面の簡単な説明】
【００１３】
【図１】実施例を示す斜視図
【図２】正面図
【図３】背面図
【図４】平面図
【図５】内部説明図
【符号の説明】
【００１４】
１、２、３、４  車輪  
５  本体
６  接続口
７  コードリール
８  コード
９  引出し口
１０  排気口
１１  底板
１２  紙パック
１３  収納部
１４  モータ
１５  電子基板
１６  巻取りボタン
１７  屋根部
【図１】
2008253523.tif 000003
【図２】
2008253523.tif 000004
【図３】
2008253523.tif 000005
【図４】
2008253523.tif 000006
【図５】
2008253523.tif 000007
(57)【要約】【課題】本発明は、使用時、足元を濡らす事も無く、又使用後の保管に場所を必要とする事もほとんど無い浴槽浴室等、水で濡れる作業時に使用可能なブーツです。【手段】滑り止めを底に付けた足底にビニールや薄いゴム等の脹脛部分を付け、その上の部分をゴム等の紐でギャザーを付け留められる様にする。足底部分以外は畳む事や丸める事も可能な柔らかな薄い物にする。上の止める為の紐の部分はそのままどこにでも掛けられ、簡単に干して乾燥させることも可能にする。【選択図】図１
2008253692.tif 000002
【特許請求の範囲】
【請求項１】
滑り止め底を持ち、底部分以外の部分を薄く柔らかくした耐水性の風呂洗い時等に使用する為の風呂洗い用ブーツ。
【請求項２】
足と本体の間に使用時に水等が入らない様に紐等で隙間をなくした耐水性の風呂洗い用ブーツ。くるぶし付近にかるいギャザーを寄せて使用しやすくすることも可能である。
【請求項３】
底の部分にすべり留めを用い、使用後、掛けることが出来ることにより、保管場所をあまり必要としない耐水性のブーツ。
【請求項４】
足のひざ上、ひざ下、くるぶし上等長さにいくつかの種類がある耐水性の水周り作業用ブーツ。
【発明の詳細な説明】
【技術分野】
【０００１】  本発明は、風呂洗い時の足元の濡れるのをふせぎ、素足でも靴下はきでも使用可能なブーツである。
【背景技術】
【０００２】  従来、浴槽及び浴室洗い用のブーツが使用されていますが、使用時以外の収納にかなりのスペースを要し、且つ使用時にその隙間にしばしば水が入り、足元を濡らしてしまうことが頻繁にありました。
【発明の開示】
【発明が解決しようとする課題】
【０００３】  ほとんどの家庭の浴室及びそれに隣接する洗面所は、収納スペース等が限られたものであり、浴槽洗い時以外に使用することが無く、かつ保管場所を広く必要とする風呂洗い様のブーツの保管は邪魔なものでした。その上、使用時に、すきまからの水で、はいていた靴下を濡らしてしまう、素足にならなければ使用出来ないなどの不便がありました。
本発明は、保管場所を余り必要とせず、又、使用時に靴下を脱ぐ必要もないものです。
【課題を解決するための手段】
【０００４】  ブーツ本体と足との隙間をふさぐ事により、使用時の水の侵入を防ぐ事が出来る。使用後は簡単に掛けて置く事により次回使用時迄に乾燥させる事が出来る。又、足底部分以外は形状固定していないので、収納に場所を必要としない。
【発明の効果】
【０００５】  本発明により、浴槽洗いの為に必要であった風呂洗い用のブーツが、従来必要であった、浴室や洗面所での保管場所を余り必要とせず、すきまからの水の浸入も防ぎ使用時も靴下のままでも浴室浴槽洗い等が可能になります。
【発明を実施するための最良の形態】
【０００６】  以下、本発明の実施の形態を説明する。
滑り止めを施した厚めのゴム底部分に、その部分以外は薄く畳む事丸める事も可能な薄いゴム部分の脹脛部分に余裕を持たせた長靴状のブーツで、上の部分は紐により足との隙間を無くす事が出来る。又、その紐で使用後掛けて乾燥させる事も出来ます。
【産業上の利用可能性】
【０００７】    本発明により、保管場所に苦慮していた風呂洗い用ブーツの収納場所の必要性や使用時の不快な隙間からの水の浸入の確実なる防止策が見込まれます。
【図面の簡単な説明】
【０００８】
【図１】本発明の斜視図
【図２】本発明の側面図
【記号の説明】
（１）本体  （２）折り返し部分  （３）紐  （４）底の部分
【図１】
2008253692.tif 000003
【図２】
2008253692.tif 000004
(57)【要約】【課題】  パーマをかける際、第一剤を髪につけるときの生えぎわの液垂れを防止し、ロッドが皮膚に接触したときのかぶれや損傷を防ぐロッドシートとして生えぎわに巻く、生えぎわ液垂れ防止帯。【解決手段】  吸水性のある不織布を細長い筒状の輪の形にし、ゴムを通して伸縮できるようにする。これを使用するときは頭から被り、襟足から額え上げて生えぎわ全体を整える。【選択図】図１
2008253697.tif 000002
【特許請求の範囲】
【請求項１】
吸水性のある不織布を細長い筒状の輪の形にし、ゴムを通して伸縮できるようにする。これを使用するときは頭から被り、襟足から額え上げて生えぎわ全体を整える。
以上を特徴とする生えぎわ液垂れ防止帯である。
【発明の詳細な説明】
【技術分野】
【０００１】  本発明はパーマをかける際、第一剤を髪につけるときの生えぎわの液垂れを防止し、ロッドが皮膚に接触したときのかぶれや損傷を防ぐロッドシートとして、生えぎわに巻く生えぎわ液垂れ防止帯に関するものである。
【背景技術】
【０００２】  從来、パーマ液の第一剤を髪につける際、生えぎわの液垂れは、肩にかけたタオルやガーゼ等でふき取っていた。また、ロッドの接触による皮膚のかぶれや損傷を防ぐため、脱脂綿をロッドの下に敷きロッドシートにしていた。
【発明の開示】
【発明が解決しようとする課題】
【０００３】    そのために次のような問題点があった。
（イ）第一剤が目に入ったり、耳の周りや鬢、襟足等に付着することがあり、刺激や不快感があった。
（ロ）液垂れに注意し、その都度ふき取らなければならないので手間がかかっていた。
（ハ）皮膚に接触しているロッドに脱脂綿を敷くため時間がかかり、脱脂綿も使いやすくカットしなければならないので手間がかかっていた。
【問題を解決するための手段】
【０００４】  吸水性のある不織布を細長い筒状の輪の形にし、ゴムを通して伸縮できるようにする。これを使用するときは頭から被り、襟足から額え上げて生えぎわ全体を整える。
以上を特徴とする生えぎわ液垂れ防止帯である。
【発明の効果】
【０００５】  第一剤が目に入らなくなり、耳の周りや鬢、襟足などにも付着せず、ふき取らなくて済み時間と手間がかからなくなった。また、皮膚のかぶれや損傷なども防ぐことができ安心してパーマをかけることができた。
【発明を実施するための最良の形態】
【０００６】  以下、本発明の実施の形態について説明する。
（イ）吸水性のある不織布を細長い筒状の輪の形にする。
（ロ）輪にゴム（２）を通して伸縮できるようにし、防止帯（１）をつくる。
本発明は以上の構成よりなっている。
これを使用するときは頭から被り、襟足から額え上げて生えぎわ全体を整える。また、鬢までロッド巻きをするときは、耳の後ろにかけた防止帯（１）を前にもってくる。
【図面の簡単な説明】
【０００７】
【図１】本発明の斜視図
【図２】本発明の使用図
【符号の説明】
【０００８】  １  防止帯
２  ゴム
【図１】
2008253697.tif 000003
【図２】
2008253697.tif 000004
(57)【要約】【課題】大きなスプーンで食事した場合、多く掬えてしまうため「早食い・食べ過ぎ」になり易い。小さなスプーンで食事した場合、柄が小さいため持ちにくく手を汚し易い。【解決手段】大きなスプーンの柄に小さなスプーンのさじを設ける。【選択図】図１
2008253691.tif 000002
【特許請求の範囲】
【請求項１】
大きなスプーンの柄（柄・柄尻）に小さなスプーンのさじ（先・ツボ）を設けたことを特徴とするスプーン。
【発明の詳細な説明】
【技術分野】
【０００１】この発明は、大きなスプーンの柄に小さなスプーンのさじを設けたスプーンである。
【背景技術】
【０００２】従来から主に食事（カレーライス等）に使われる大きなスプーンがあった。
従来から飲料（コーヒー等）の撹拌等に使われる小さなスプーンがあった。
【発明が解決しようとする課題】
【０００３】しかし、従来の大きなスプーンで食事をすると一度に多く食べ物を掬えるために、一口に多くの食べ物を入れてしまい「早食い・食べ過ぎ」になり易い。
従来の小さなスプーンで食事をすると一度に口に入る食べ物の量は少なくなるものの、柄が小さいため食べ物（カレーライス等）で手を汚し易い。
本発明は上記のような不都合を解決するためになされたものである。
【課題を解決するための手段】
【０００４】この課題を解決するため、大きなスプーンの柄に小さなスプーンのさじを設けた。
【発明の効果】
【０００５】本発明は、その構造上、一度に多くの食べ物を掬うことができない。
そのため同量の食べ物であれば従来よりも多くの回数掬わなければならず、必然的に食事時間が長くなり「早食い・食べ過ぎ」を防ぐ効果が期待できる。
「早食い・食べ過ぎ」を防ぐことにより当然ダイエット効果も期待できる。
また、一度に口に入る食べ物の量を減らすことによりは高齢者等の誤嚥予防効果も期待できる。
それでいながら、従来の食事用に使われていたスプーンと同様の柄であるため、同様の使い易さ、持ち易さである。
【発明を実施するための最良の形態】
【０００６】本発明は従来食事用に使われていた大きなスプーンの柄に小さなスプーンのさじを設けたことを特徴とする。
材質は金属など通常のもので良い。木材やプラスチックを用いても良い。
【産業上の利用可能性】
【０００７】本発明は、現代人の健康増進のため大きな役割を持つと考えられる。
一般家庭や外食産業はもちろん、病院や介護施設での利用も大いに考えられる。
【図面の簡単な説明】
【０００８】
【図１】本発明の平面図である。
【図２】従来の大きなスプーンの平面図である。
【図３】従来の小さなスプーンの平面図である。
【符号の説明】
１  柄（柄・柄尻）
２  さじ（先・つぼ）
【図１】
2008253691.tif 000003
【図２】
2008253691.tif 000004
【図３】
2008253691.tif 000005
(57)【要約】【課題】  家庭でパーマをかける際、生え際からパーマ液が流れ出るのを防止、吸収するため、自分で簡単に脱着できる家庭用パーマターバン。【解決手段】  タオル地を生え際に巻ける長さにし、縫い目を内側にして細長い筒状のターバンを作り、両端も縫い目を内側にしてゴムが通せるように開けておく。タオル地でスポンジの入った玉を作り、ゴムの端につけてターバンに通し、もう一方のゴムの端にも玉をつける。これを使用するときは、ターバンを生え際に巻き両端の玉を交差し、軽くひねる。【選択図】図１
2008253698.tif 000002
【特許請求の範囲】
【請求項１】
タオル地を生え際に巻ける長さにし、縫い目を内側にして細長い筒状のターバンを作り、両端も縫い目を内側にしてゴムが通せるように開けておく。タオル地でスポンジの入った玉を作り、ゴムの端につけてターバンに通し、もう一方のゴムの端にも玉をつける。これを使用するときは、ターバンを生え際に巻き両端の玉を交差し、軽くひねる。
以上を特徴とする家庭用パーマターバンである。
【発明の詳細な説明】
【技術分野】
【０００１】  本発明は家庭でパーマをかける際、生え際からパーマ液が流れ出るのを防止、吸収するため、自分で簡単に脱着できる家庭用パーマターバンに関するものである。
【背景技術】
【０００２】  従来、ロッドを巻いたあとタオルをターバンのように巻き、クリップや輪ゴム等でとめてパーマ液が流れ出るのを防いでいた。
【発明の開示】
【発明が解決しようとする課題】
【０００３】  そのために次のような問題があった。
（イ）タオルの巻き方が悪いと緩んだり隙間ができてパーマ液が流れ出ることがあった。
（ロ）タオルを固定するときは、クリップや輪ゴム等で落ちないようにとめなければならないので時間や手間がかかっていた。
本発明は以上の問題を解決するためになされたものである。
【問題を解決するための手段】
【０００４】  タオル地を生え際に巻ける長さにし、縫い目を内側にして細長い筒状のターバンを作り、両端も縫い目を内側にしてゴムが通せるように開けておく。タオル地でスポンジの入った玉を作り、ゴムの端につけてターバンに通し、もう一方のゴムの端にも玉をつける。これを使用するときは、ターバンを生え際に巻き両端の玉を交差し、軽くひねる。
以上を特徴とする家庭用パーマターバンである。
【発明の効果】
【０００５】  ターバンの中にゴムが入っているため緩まず、隙間もできないのでパーマ液が流れ出ることが無くなり、簡単に脱着できて時間や手間もかからなくなった。
【発明を実施するための最良の形態】
【０００６】  以下、本発明の実施の形態について説明する。
（イ）タオル地を生え際に巻ける長さにし、縫い目を内側にして細長い筒状のターバン（１）を作り、両端も縫い目を内側にしてゴム（２）が通せるように開けておく。
（ロ）タオル地でスポンジの入った玉（３）を作り、ゴム（２）の端につけてターバン（１）に通し、もう一方のゴム（２）の端にも玉（３）をつける。
本発明は以上の構成よりなっている。
これを使用するときは、ターバン（１）を生え際に巻き両端の玉（３）を交差し、軽くひねる。
【図面の簡単な説明】
【０００７】
【図１】本発明の斜視図
【図２】本発明の使用図
【符号の説明】
【０００８】  １  ターバン
２  ゴム
３  玉
【図１】
2008253698.tif 000003
【図２】
2008253698.tif 000004
(57)【要約】【課題】      従来の物干し用ハンガーは、フード付き衣類を干す際にフードの部分が垂れ下がり、衣類の背中の部分と重なるため、重なった部分が乾きにくかった。また、重なり部分が出来ることで背中方向に厚みが増し、洗濯物を干す際の他の洗濯物との間隔を広く必要とした。【解決手段】  物干し用ハンガーのフックと衣類の肩掛け部の間の支持棒を長くし、フードを固定させるためのフード用フックとフード用の洗濯バサミを設けた。また、これによりハンガー全体が大きくなるので、フード用の洗濯バサミの支持部と衣類の肩掛け部を可動式にして折りたためるようにした。【選択図】図１
2008253693.tif 000002
【特許請求の範囲】
【請求項１】
フード付き衣類のフードを留める、フード用フックとフード用の洗濯バサミを設けた洗濯物用の衣類ハンガー。
【発明の詳細な説明】
【技術分野】
【０００１】  この発明は、フード付き衣類を効率よく干すことが出来るハンガーに関するものである。
【背景技術】
【０００２】  従来より、物干し用のハンガーは、フード付き衣類を干す場合不向きだった。
【発明の開示】
【発明が解決しようとする課題】
【０００３】  従来の物干し用ハンガーは、フード付き衣類を干す際にフードの部分が垂れ下がり、衣類の背中の部分と重なり、乾きにくかった。【０００４】  また、フードの垂れ下がったところが、重なりが出来ることにより厚くなるので、洗濯物を干す際に他の洗濯物との間隔を広く必要とした。【０００５】  本発明は、従来のこれらの欠点を除くためになされたものである。
【課題を解決するための手段】
【０００６】  ハンガー本体のフックから下がる支持棒を長くし、支持棒に可動式の洗濯バサミを上下に付けることでフード付き衣類のフードをハンガーの首の部分より上で固定できるようにした。【０００７】  また、ハンガー本体の衣類の首から肩を掛ける部分を伸縮式にし、折りたためるようにしたことで、被るタイプのフード付き衣類でも使い易くした。【０００８】  本発明は、以上のようなハンガー本体の支持棒上部と下部に可動式のフード用の洗濯バサミとハンガー本体の衣類の首から肩を掛ける部分を伸縮式で折りたたみ式にした構成がらなるフード付き衣類用ハンガーである。
【発明の効果】
【０００９】  上述したように本発明のフード付き衣類用ハンガーは、フード付き衣類のフードをハンガー上部で固定できるようにしたことにより、これらの衣類を干す際にかかる乾燥時間が短縮できる。【００１０】  また、フード付き衣類のフードをハンガー上部で固定するので、従来のフードが垂れ下がることにより生じる、洗濯物を干す際の他の洗濯物との間のスペースが広くなるのを抑えることができ、干す際のスペースの効率を上げることができる。
【発明を実施するための最良の形態】
【００１１】以下、本発明の実施例について図１〜４に基づいて説明する。【００１２】  フック１をフード用フック４、支持具３、５、５Ａ、５Ｂ、５Ｃをそなえた支持棒２にさし込む。【００１３】  支持具５、５Ａには、洗濯バサミ６、６Ａを、支持具５Ｂ、５Ｃには、洗濯バサミ７、７Ａを、支持具３には伸縮式肩掛け部８、８Ａをそれぞれ取り付ける。【００１４】  本発明は以上のような構造で、これを使用する時は、フック１を物干しに掛け、洗濯バサミ６、６Ａ、洗濯バサミ７、７Ａ、伸縮式肩掛け部８、８Ａをそれぞれ開き、伸縮式肩掛け部８、８Ａに衣類の首から肩の部分を掛け、フード開口部の頂点をフード用フック４に掛け、フード開口部の上部を洗濯バサミ６、６Ａで留め、フード開口部の下部を洗濯バサミ７、７Ａで留める。
【図面の簡単な説明】
【００１５】
【図１】本発明の斜視図である。
【図２】本発明の折りたたみ時の正面図である。
【図３】本発明の正面図である。
【図４】本発明の側面図である。
【符号の説明】
【００１６】  １    フック
２    支持棒
３    支持具
４    フード用フック
５    支持具
５Ａ  支持具
５Ｂ  支持具
５Ｃ  支持具
６    洗濯バサミ
６Ａ  洗濯バサミ
７    洗濯バサミ
７Ａ  洗濯バサミ
８    伸縮式肩掛け部
８Ａ  伸縮式肩掛け部
【図１】
2008253693.tif 000003
【図２】
2008253693.tif 000004
【図３】
2008253693.tif 000005
【図４】
2008253693.tif 000006
(57)【要約】【課題】  本発明は日常的に使われるコーヒーペーパーフィルターにコーヒー粉を入れる際に計量スプーン等、計量道具がない場合でもペーパーフィルターに目盛りを付けることにより人数に応じた適量のコーヒー粉を入れることができる目盛り付きコーヒーフィルターを得るにある。【解決手段】  日常的に使われるコーヒーフィルターにおいて通水濾過性シート材料からなるペーパーフィルター本体と、この本体の内面又は外面、若しくは両面の目盛りの位置に型押し、もしくはエンボス加工により凹凸を入れることにより目盛りを付けた目盛り付きコーヒーフィルターを構成している。【選択図】図５
2008253700.tif 000002
【特許請求の範囲】
【請求項１】
日常的に使われるコーヒーフィルターにおいて通水濾過性シート材料からなる、ペーパーフィルター本体と、この本体の内面又は外面、若しくは両面に目盛りを施した事を特徴とするコーヒーフィルター。
【請求項２】
日常的に使われるコーヒーフィルターにおいて通水濾過性シート材料からなる、ペーパーフィルター本体と、この本体の内面又は外面、若しくは両面に凹凸の目盛りを施した事を特徴とするコーヒーフィルター。
【発明の詳細な説明】
【技術分野】
【０００１】  本発明は焙煎したコーヒーを抽出する為のフィルターに関する。
【背景技術】
【０００２】  従来のコーヒーフィルターはコーヒーを濾過するために使用される紙製濾過フィルターとして、偏平状に２つ折りされたフィルターを開いて漏斗状に立体的に形成して使用することができる紙製フィルターであって、一般的に図８に示す構造のものがある（例えば、特許文献１参照。）。即ち図８に示すコーヒーフィルターは、１枚の横長扇状濾紙を折曲線２に於いて２つ折りして上下に積層し、かつ底縁３と右側縁４とを夫々熱シールして上下の濾紙を溶着した構造のものである。【０００３】
【特許文献１】特開平８−１４０８５７号  広報
【発明の開示】
【発明が解決しようとする課題】
【０００４】  従来のコーヒーフィルターは人数に応じた分量の目盛りが印されていないため、計量スプーン等の計量道具でコーヒー粉の量を測り適量のコーヒー粉をフィルターに入れる必要があり、計量道具がない場合、目分量で入れる等してどんなに良いコーヒー粉を使っても計量スプーン等の道具を使わなければ味にムラが出てしまい毎回同じようにおいしいコーヒーを淹れることが困難であるという欠点があった。【０００５】  本発明は上記のような従来の欠点に鑑み、コーヒーを作る際に計量スプーン等、計量道具が無い場合でもフィルターに印された目盛りを目安に人数に応じた適量なコーヒー粉を盛る事が出来、おいしいコーヒーを手軽に素早く作ることができるコーヒーフィルターを提供することを目的としている。
【課題を解決する為の手段】
【０００６】  本発明は上記目的を達成するために、コーヒーペーパーフィルターにおいてペーパーフィルター本体と、この本体の内面又は外面、もしくは両面に人数に応じた適量のコーヒー粉の分量の位置に目盛りを入れ（図１）、もしくは面全体に隣り合う面とは異なる模様の境界線を目盛りとする（図３）、もしくは無地と模様の境界線を目盛りとする（図４）型押しもしくはエンボス加工を加えることにより目盛りを付けた目盛り付きコーヒーフィルターを構成している。
【発明の効果】
上記の説明から明らかなように、本発明にあっては次に列挙する効果が得られる。
【０００７】（１）コーヒーペーパーフィルターにおいてペーパーフィルター本体と、この本体の内面又は外面、もしくは両面に目盛りの位置を入れる事により形成した目盛りを付けたペーパーフィルターで構成されているので、コーヒーフィルターの目盛りを目印に人数に応じた適量のコーヒー粉を確認することができる。したがって、計量スプーン等、計量道具を使わなくても適量のコーヒー粉をフィルターの目盛りから確認でき、おいしいコーヒーを手軽で素早く簡単に作ることができる効果が得られる。
【０００８】（２）前記（１）によって、使用方法も従来通りの使い方と同じようにコーヒー粉をセットしたフィルターに入れ湯を注ぐだけなので、誰でもが簡単で手軽に使用する事ができる。
【発明を実施するための最良の形態】
【０００９】以下、本発明の実施の形態を図１〜図６に基づいて説明する。【００１０】    図１ないし図７の本発明の実施の形態において、図８の１は従来のコーヒーペーパーフィルターで図１は図８に本発明を実施した形態の目盛り付コーヒーペーパーフィルターである。【００１１】    図１の５は本発明を実施した形態の目盛り６，７，８，９を付けた目盛り付きコーヒーペーパーフィルターである。【００１２】    本発明の実施の形態において、図５は本発明の実施の形態の斜視図の状態で、目盛り６，７，８，９各々の目盛りの位置に凹凸をつける、この場合目盛り６と目盛り８は同じ凹凸、目盛り７と目盛り９は同じ凹凸、もしくは目盛り６，７，８，９すべて同じ凹凸、もしくは目盛り６，７，８，９すべて異なる凹凸からなるペーパーフィルター、ペーパーフィルターのサイズ、もしくは特定の人数分用など用途によっては目盛り６，７，８のみ、もしくは目盛り６，７のみ、もしくは目盛り６のみ、もしくは目盛り７のみ、もしくは目盛り８のみ、もしくは目盛り９のみもある。【００１３】  図３、図４は目盛りの位置の上または下もしくは上下の面全体に隣り合う面とは異なる模様の型押しもしくはエンボス加工を加え無地と模様もしくは各模様の境界線を目盛りとすることにより目盛りを印した目盛り付コーヒーフィルターの平面図である。【００１４】  図７は目盛り付コーヒーフィルター５をドリッパー１２におき目盛りを目印にコーヒー粉１１を盛った状態である。
【図面の簡単な説明】
【００１５】
【図１】本発明の実施の形態のコーヒーペーパーフィルターの平面図。
【図２】図１の目盛り１つのみの場合の説明図。
【図３】図１の目盛りの位置の上下に模様を入れた場合の説明図。
【図４】図１の目盛りの位置の上下に模様と無地を入れた場合の説明図。
【図５】本発明の実施の形態のコーヒーペーパーフィルターの斜視図。
【図６】図５の１０−１０ａに沿う断面図。
【図７】本発明の実施の形態の使用状態の説明図。
【図８】従来のコーヒーペーパーフィルターを示す平面図。
【符号の説明】
【００１６】１：従来のコーヒーペーパーフィルター。
２：折曲線。
３：底縁。
４：右側縁。
５：目盛り付コーヒーフィルター。
６、７，８，９：目盛り。
１０、１０ａ：断面図の箇所を示すための平行線。
１１：コーヒー粉。
１２：ドリッパー。
【図１】
2008253700.tif 000003
【図２】
2008253700.tif 000004
【図３】
2008253700.tif 000005
【図４】
2008253700.tif 000006
【図５】
2008253700.tif 000007
【図６】
2008253700.tif 000008
【図７】
2008253700.tif 000009
【図８】
2008253700.tif 000010
(57)【要約】【課題】全方向で集塵後または吸塵後に拭き掃除が可能な掃除機を提供する。【解決手段】周囲に集塵用回転ブラシまたは吸塵用吸込口を有する掃除機の、集塵用回転ブラシ内側、または、吸塵用吸込口の内側に、拭き掃除用シートを取り付ける。【選択図】図１
2008253690.tif 000002
【特許請求の範囲】
【請求項１】
全方向で集塵後に拭き掃除を可能とする目的で、周囲に集塵用回転ブラシを有する掃除機の集塵用回転ブラシの内側に、拭き掃除用シートを取り付けることを特徴とする掃除機。
【請求項２】
全方向で吸塵後に拭き掃除を可能とする目的で、周囲に吸塵用吸込口を有する掃除機の吸塵用吸込口の内側に、拭き掃除用シートを取り付けることを特徴とする掃除機。
【発明の詳細な説明】
【技術分野】
【０００１】電気掃除機
【背景技術】
【０００２】拭き掃除をする掃除用具や、集塵用回転ブラシや吸塵用吸込口の間に掃除用のシートを有し、２方向に吸塵の後で拭き掃除が出来る掃除機や、四方に集塵用回転ブラシを有し、全方向に集塵する掃除機はあるが、全方向で集塵後または吸塵後に拭き掃除が出来る掃除機は無い。
【発明の開示】
【発明が解決しようとする課題】
【０００３】常に、全方向で集塵後または吸塵後に拭き掃除が可能な掃除機を提供する。
【課題を解決するための手段】
【０００４】周囲に集塵用回転ブラシ（１）や吸塵用吸込口（２）を有する掃除機の、集塵用回転ブラシ（１）の内側、または、吸塵用吸引口（２）の内側に設ける台座（４）に、拭き掃除用シート（３）を取り付ける。
【発明の効果】
【０００５】本発明による効果は、以下の通りである。
１．全方向で集塵または吸塵後に拭き掃除が可能となる。
２．拭き掃除用シート（３）の面積を小さくし、使用量を節減出来る。
【発明を実施するための最良の形態】
【０００６】周囲に集塵用回転ブラシ（１）または吸塵用吸込口（２）を有する掃除機の集塵用回転ブラシ（１）または吸塵用吸込口（２）内側の台座（４）に取付けたマジックテープ（５）に、拭き掃除用シート（３）を貼付ける。【０００７】また、台座（４）に拭き掃除用シート（３）を挟み込んでも良い。
【図面の簡単な説明】
【０００８】
【図１】は、集塵用回転ブラシ（１）を有する掃除機の台座（４）に、拭き掃除用シート（３）をマジックテープ（５）で取付ける例を示す斜視図である。
【図２】は、吸塵用吸込口（２）を有する掃除機の台座（４）に、拭き掃除用シート（３）をマジックテープ（５）で取付ける例を示す斜視図である。
【符号の説明】
【００１０】  （１）は集塵用回転ブラシ、（２）は吸塵用吸込口、（３）は拭き掃除用シート、（４）は台座、（５）はマジックテープ
【図１】
2008253690.tif 000003
【図２】
2008253690.tif 000004